(57)【要約】【課題】サービスマンが使用者を訪問する前に、サービスマンに機器の異常を正確に知らせることが可能な機器を提供する。【解決手段】空気調和機１は、運転ランプ１１１とクラスタランプ１１２と文字ランプ１１３と、スピーカ１２０と、リモートコントローラ２００とを備える。運転ランプ１１１とクラスタランプ１１２と文字ランプ１１３は、空気調和機１の異常を視覚的に報知するものである。スピーカ１２０は、空気調和機１の異常を、電話機２を通じて聴取することが可能な周波数の音を用いて報知するものである。リモートコントローラ２００は、使用者が操作するためのものである。運転ランプ１１１とクラスタランプ１１２と文字ランプ１１３が異常を報知しているときに、リモートコントローラ２００で予め定められた操作が行われた場合、スピーカ１２０が異常を報知するように構成されている。【選択図】図４
2011052945.tif 000002
【特許請求の範囲】
【請求項１】
当該機器の異常を視覚的に報知する第１の報知部と、
当該機器の異常を、電話を通じて聴取することが可能な周波数の音を用いて報知する第２の報知部と、
使用者が操作するための操作部とを備え、
前記第１の報知部が異常を報知しているときに前記第２の報知部が異常を報知するか否かを、前記操作部で予め定められた操作が行われることによって設定することができるように構成されている、機器。
【請求項２】
当該機器の異常を視覚的に報知する第１の報知部と、
当該機器の異常を、電話を通じて聴取することが可能な周波数の音を用いて報知する第２の報知部と、
使用者が操作するための操作部とを備え、
前記第１の報知部が異常を報知しているときに、前記操作部で予め定められた操作が行われた場合、前記第２の報知部が異常を報知するように構成されている、機器。
【請求項３】
前記第２の報知部による報知に用いられる音は、長音と短音との組み合わせのみからなる、請求項１または請求項２に記載の機器。
【請求項４】
前記第２の報知部は、指向性を有する音源によって構成されている、請求項１から請求項３までのいずれか１項に記載の機器。
【請求項５】
前記操作部は、当該機器の運転を停止することを指示するための停止指示部を含み、
前記停止指示部によって当該機器の運転の停止が指示されたときには、前記第１の報知部と前記第２の報知部による異常の報知が停止される、請求項１から請求項４までのいずれか１項に記載の機器。
【請求項６】
前記第２の報知部は、当該機器の運転が停止されているときに、前記操作部で予め定められた操作が行われた場合、異常を報知するように構成されている、請求項１から請求項５までのいずれか１項に記載の機器。
【請求項７】
当該機器は空気調和機である、請求項１から請求項６までのいずれか１項に記載の機器。
【発明の詳細な説明】
【技術分野】
【０００１】
この発明は、一般的には機器に関し、特定的には、当該機器の異常を報知するように構成されている空気調和機等の機器に関する。
【背景技術】
【０００２】
従来、機器として空気調和機が異常な状態やその他の特定の状態にある場合に、使用者やサービスマンにその状態を報知することが可能な空気調和機がある。
【０００３】
例えば、特開平１０−１８５２７５号公報（以下、特許文献１という）には、故障診断の内容を知るためにワイヤレスリモコンを操作すると、ワイヤレスリモコンから点検信号が送信される。この点検信号を受信すると、故障診断の内容を知るためにワイヤレスリモコンから点検信号が送信され、この点検信号を受信すると、故障診断の内容が運転モード表示用ランプを通じて表示される空気調和機の運転制御装置が記載されている。また、特許文献１には、この空気調和機の運転制御装置では、運転モード表示用ランプを用いて故障診断の内容を知らせるのではなく、音発生器から発する音をモールス信号のような形で知らせることがよいことも記載されている。
【０００４】
特開平８−７７４６３号公報（以下、特許文献２という）には、緩点滅と速点滅からなる基本サイクルを繰り返し表示する機器の特定状態表示方法が記載されている。特許文献２にはまた、上述の発光表示に２色の発光体を用いる機器の特定状態表示方法と、上述の発光表示を発音表示に置き換えた機器の特定状態表示方法も記載されている。
【先行技術文献】
【特許文献】
【０００５】
【特許文献１】特開平１０−１８５２７５号公報
【特許文献２】特開平８−７７４６３号公報
【発明の概要】
【発明が解決しようとする課題】
【０００６】
しかしながら、発光ダイオードやランプなどを点滅させることによって、視覚的に機器の状態を報知する場合には、サービスマンが、機器の修理をするために使用者を訪問する前に異常の内容を知るためには、使用者が表示を正確に読み取って、サービスマンに正確に伝える必要がある。使用者が表示を読み間違えた場合や、サービスマンに正確に伝達することができない場合には、サービスマンは、使用者を訪問して初めて異常の内容を正確に知ることになり、その場ですぐに的確な対処を行なうことができない場合がある。
【０００７】
また、機器の状態を音によって聴覚的に報知する場合にも、使用者が報知の内容を正確に聴取してサービスマンに正確に使えなければ、視覚的表示によって機器の状態が報知される場合と同様に、サービスマンが使用者を訪問しても的確な対処を行なうことができない場合がある。さらに、機器の異常は、例えば深夜や使用者が留守にしている時に発生することもあるので、使用者が報知に気付いて報知を停止させるまでの間、機器が音を発生させ続けると、騒音になる。
【０００８】
そこで、この発明の目的は、サービスマンが使用者を訪問する前に、サービスマンに機器の異常を正確に知らせることが可能な機器を提供することである。
【課題を解決するための手段】
【０００９】
この発明に従った機器は、第１の報知部と、第２の報知部と、操作部とを備える。
【００１０】
第１の報知部は、当該機器の異常を視覚的に報知するものである。第２の報知部は、当該機器の異常を、電話を通じて聴取することが可能な周波数の音を用いて報知するものである。操作部は、使用者が操作するためのものである。
【００１１】
この発明の一つの局面に従った機器は、第１の報知部が異常を報知しているときに第２の報知部が異常を報知するか否かを、操作部で予め定められた操作が行われることによって設定することができるように構成されている
【００１２】
また、この発明の別の局面に従った機器は、第１の報知部が異常を報知しているときに、操作部で予め定められた操作が行われた場合、第２の報知部が異常を報知するように構成されている。
【００１３】
機器に異常が発生すると、機器は、まず、第１の報知部によって視覚的に異常を報知する。この発明の一つの局面に従った機器では、操作部で予め定められた操作が行われることによって、第１の報知部によって視覚的に異常が報知されているときに第２の報知部が異常を報知することが設定されている場合には、第２の報知部が異常を報知する。また、この発明の別の局面に従った機器では、機器の使用者は、第１の報知部によって視覚的に異常が報知されているときに、操作部で予め定められた操作を行う。使用者が操作部で予め定められた操作を行うと、第２の報知部が異常を報知する。第２の報知部は、機器の異常を、電話を通じて聴取することが可能な周波数の音を用いて報知する。
【００１４】
このように、この発明の一つの局面に従った機器では、操作部で予め定められた操作が行われることによって、第１の報知部によって視覚的に異常を報知するとともに、第２の報知部によって音を用いて異常を報知するように設定することができる。また、この発明の別の局面に従った機器では、まず、第１の報知部によって視覚的に異常を報知し、使用者が予め定められた操作を行った後に第２の報知部によって音を用いて異常を報知する。
【００１５】
第２の報知部が異常を報知しているとき、使用者は、電話を第２の報知部に近づけることによって、サービスマンに機器の異常の内容を知らせることができる。第２の報知部は、当該機器の異常を、電話を通じて聴取することが可能な周波数の音を用いて報知するので、サービスマンは、電話を通じて第２の報知部が発する音を聴取することによって、機器の異常を正確に知ることができる。
【００１６】
このようにすることにより、サービスマンが使用者を訪問する前に、サービスマンに機器の異常を正確に知らせることが可能な機器を提供することができる。
【００１７】
また、第１の報知部によって視覚的に異常を報知し、使用者が予め定められた操作を行った後に第２の報知部によって音を用いて電話で異常を報知するので、使用者は第１の報知部が異常を報知していることに気付くのに遅れても、騒音を生じさせることがない。
【００１８】
この発明に従った機器においては、第２の報知部による報知に用いられる音は、長音と短音との組み合わせのみからなることが好ましい。
【００１９】
このようにすることにより、簡素な音発生手段を用いて第２の報知部を構成することができる。
【００２０】
この発明に従った機器においては、第２の報知部は、指向性を有する音源によって構成されていることが好ましい。
【００２１】
このようにすることにより、第２の報知部が異常を報知している間の騒音を低減させることができる。また、サービスマンが電話を通じて、第２の報知部が発生する音を聴取しやすくなる。
【００２２】
この発明に従った機器においては、操作部は、当該機器の運転を停止することを指示するための停止指示部を含み、停止指示部によって当該機器の運転の停止が指示されたときには、第１の報知部と第２の報知部による異常の報知が停止されることが好ましい。
【００２３】
このようにすることにより、例えば、使用者がサービスマンに機器の異常を知らせる必要がないと判断する場合に、異常の報知を停止させることができる。
【００２４】
この発明に従った機器においては、第２の報知部は、当該機器の運転が停止されているときに、操作部で予め定められた操作が行われた場合、異常を報知するように構成されていることが好ましい。
【００２５】
このようにすることにより、機器に異常が発生して運転を一旦、停止させた後、機器の運転を停止させたままで、機器の異常を報知させることができる。
【００２６】
この発明に従った機器は空気調和機であることが好ましい。
【発明の効果】
【００２７】
以上のように、この発明によれば、サービスマンが使用者を訪問する前に、サービスマンに機器の異常を正確に知らせることが可能な機器を提供することができる。
【図面の簡単な説明】
【００２８】
【図１】本発明の一つの実施の形態に係る空気調和機の全体を示す斜視図である。
【図２】本発明の一つの実施の形態に係る空気調和機の本体の表示部を示す図である。
【図３】本発明の一つの実施の形態に係る空気調和機のリモートコントローラの全体を示す図である
【図４】本発明の一つの実施の形態に係る空気調和機の異常を報知するための制御関連の構成を示すブロック図である。
【図５】本発明の一つの実施の形態に係る空気調和機の異常の報知の例を示す図である。
【図６】本発明のもう一つの実施の形態に係る空気調和機の全体を示す斜視図である。
【図７】本発明のまた別の実施の形態に係る空気調和機の全体を示す斜視図である。
【発明を実施するための形態】
【００２９】
以下、この発明の実施の形態を図面に基づいて説明する。
【００３０】
図１に示すように、この発明の一つの実施の形態の機器として空気調和機１の室内機１００は、全体がキャビネット１０１で覆われている。キャビネット１０１の内部には熱交換器やファンが収容されている。室内機１００の正面には吹出口が形成され、室内機１００の運転が停止されているときには、吹出口は開閉パネル１０２で覆われている。
【００３１】
室内機１００の正面において開閉パネル１０２の上方には、キャビネット１０１上に表示部１１０と第２の報知部としてスピーカ１２０とが配置されている。
【００３２】
表示部１１０は、空気調和機１の異常を視覚的に、後述するように文字やランプの点滅で報知する。
【００３３】
スピーカ１２０は、指向性を有する音源によって構成されており、電話を通じて聴取することが可能な周波数の音を発生することによって空気調和機１の異常を聴覚的に報知する。この実施の形態においては、スピーカ１２０が発生する音の周波数は、例えば、３００Ｈｚから３４００Ｈｚであるとする。使用者が電話機２を室内機１００に近づけて電話すると、スピーカ１２０の発する音が受話者によって聴取される。
【００３４】
図２に示すように、表示部には、運転ランプ１１１と、クラスタランプ（除菌イオンランプ）１１２と、文字ランプ１１３と、クリーンサインランプ１１４と、タイマーランプ１１５と、換気ランプ１１６と、湿度連動ランプ１１７が並べて配置されている。運転ランプ１１１とクラスタランプ１１２と文字ランプ１１３は第１の表示部の一例である。
【００３５】
運転ランプ１１１は、空気調和機１の運転中に赤色に点灯する。ただし、室内機１００の内部を清浄する内部清浄運転中は消灯する。クラスタランプ１１２は、ファンによって室内機１００から送出される空気にイオンを供給する除菌イオン運転中に青色に点灯する。また、室内機１００の内部にイオンを供給する内部清浄運転中にも青色に点灯する。文字ランプ１１３は、設定温度、設定湿度、室内温度、残時間、エラー情報を、青色に点灯する数字で表示する。また、室内清浄運転や換気運転のＯＮとＯＦＦとを青色に点灯する数字で表示する。クリーンサインランプ１１４は、空気調和機１の運転中、空気が汚れているときに点灯する。このとき、空気調和対象室内の汚れ具合を赤色、橙色、緑色で表す。クリーンサインランプ１１４は、運転開始後１分間は、空気調和対象室内の汚れ具合の検知中のため点灯しない。タイマーランプ１１５は、タイマー予約中に橙色に点灯する。換気ランプ１１６は、換気運転の設定中に緑色に点灯する。湿度連動ランプ１１７は、湿度連動設定時に橙色に点灯する。
【００３６】
図３に示すように、操作部としてリモートコントローラ２００は、少なくとも停止指示部として運転停止ボタン２１０を有する。
【００３７】
図４に示すように、空気調和機１は、異常を報知するための制御関連の構成として、リモートコントローラ２００の運転停止ボタン２１０と、制御部３００と、異常検知部３１０と、運転ランプ１１１とクラスタランプ１１２と文字ランプ１１３とスピーカ１２０とを備える。
【００３８】
異常検知部３１０は、空気調和機１の異常を検知した場合に、制御部３００に信号を送信する。異常検知部３１０から信号を受信した制御部３００は、運転ランプ１１１とクラスタランプ１１２と文字ランプ１１３に制御信号を送信して、異常を報知するために後述のように点滅させる。また、異常検知部３１０から信号を受信した制御部３００はスピーカ１２０に制御信号を送信して、異常を報知するために後述のように、短音と長音との組み合わせのみによって構成される音を発生させる。
【００３９】
以上のように構成された空気調和機１において、異常が発生したときの動作について説明する。
【００４０】
空気調和機１に異常が発生すると、異常検知部３１０が異常を検知して、制御部３００に信号を送信する。異常検知部３１０から信号を受信した制御部３００は、まず、運転ランプ１１１とクラスタランプ１１２と文字ランプ１１３に制御信号を送信して、異常検知部３１０によって検知された異常の内容に応じて、運転ランプ１１１とクラスタランプ１１２と文字ランプ１１３を点滅させる。
【００４１】
図５に示すように、例えば、空気調和機１の室外機の異常が検知された場合には、制御部３００（図４）によって、異常の大分類として「エラーＡ」の異常が生じたと診断される。また、例えば、空気調和機１の室内機の異常が検知された場合には、制御部３００によって、異常の大分類として「エラーＢ」の異常が生じたと診断される。それぞれの大分類の異常は、さらに複数の小分類に分類され、例えば、熱交換器の異常や圧縮機の異常など、異常の詳細に応じて、それぞれ異なる小分類の異常が生じたと診断される。
【００４２】
図５の「ランプによる表示」の欄においては、「●」でランプの点灯を示し、「×」でランプの消灯を示す。異常検知部３１０によって異常が検知されると、タイマーランプ１１５は、１秒点灯し、１秒消灯し、１秒点灯し、１秒消灯し、１秒点灯し、１秒消灯し、１秒点灯し、１秒消灯し、１秒点灯した後、５秒間消灯するサイクルを繰り返す。運転ランプ１１１とクラスタランプ１１２は、タイマーランプ１１５の点灯と同時に点灯する。例えば、「エラーＡ」の小分類「０」の異常が検知された場合には、「ランプによる表示」の欄に示すように、運転ランプ１１１は８秒間消灯した後、１秒間点灯し、５秒間消灯するというサイクルを繰り返す。同時に、「故障Ｎｏ．」の欄に示すように、文字ランプ１１３に故障番号として、まず「１」の数字を２秒間表示させ、次に、「−０」文字を２秒間表示させるというサイクルを繰り返す。このようにして、文字ランプ１１３によって「故障Ｎｏ．１０」を表現する。クラスタランプ１１２は、消灯されたままである。なお、「室外機ＬＥＤによる表示」の欄に示すように、室外機（図示しない）に配置されている発光ダイオード（ＬＥＤ）を、０．２秒間隔で３回点滅させるサイクルを２秒の周期中に１回行なうことによって、室外機においても異常を報知してもよい。
【００４３】
また例えば、「エラーＢ」の小分類「３」の異常が検知された場合には、「ランプによる表示」の欄に示すように、運転ランプ１１１は、２秒間消灯した後、１秒間点灯し、１秒間消灯し、１秒間点灯し、３秒間消灯し、１秒間点灯した後、５秒間消灯する、というサイクルを繰り返す。同時にクラスタランプ１１２は、６秒間消灯した後、１秒間点灯し、１秒間消灯し、１秒間点灯し、５秒間消灯するというサイクルを繰り返す。同時に、「故障Ｎｏ．」の欄に示すように、文字ランプ１１３に故障番号として、まず「１３」の数字を２秒間表示させ、次に、「−３」の文字を２秒間表示させるというサイクルを繰り返す。このようにして、文字ランプ１１３によって「故障Ｎｏ．１３３」を表現する。なお、「室外機ＬＥＤによる表示」の欄に示すように、室外機（図示しない）に配置されている発光ダイオード（ＬＥＤ）を、０．２秒間隔で１３回点滅させて、室外機においても異常を報知してもよい。
【００４４】
使用者が運転ランプ１１１とクラスタランプ１１２と文字ランプ１１３を視認して、空気調和機１の異常に気付いた場合には、使用者は、リモートコントローラ２００の運転停止ボタン２１０を予め定められた回数だけ押す。例えば、この実施の形態においては、予め定められた回数は５回であるとする。運転停止ボタン２１０が続けて５回、押されると、リモートコントローラ２００は制御部３００に信号を送信する。
【００４５】
リモートコントローラ２００から信号を受信した制御部３００は、スピーカ１２０に制御信号を送信する。制御部３００から制御信号を受信したスピーカ１２０は、異常検知部３１０によって検知された異常の内容に応じて音を発生させる。
【００４６】
図５に示すように、「エラーＡ」の小分類「０」の異常が検知された場合には、「室内機ブザー音による報知」の欄に示すように、スピーカ１２０は、短音を１回、長音を４回発生させ、短音の５倍の間隔をあけて、長音を５回発生させる、というサイクルを、短音の７倍の間隔をあけて繰り返す。なお、１回の長音の発音は、１回の短音の発音の３倍の長さであるとする。短音でも長音でも、発音と発音との間には短音の発音の１回分の間隔があけられている。このように、スピーカ１２０は、異常の内容を表す「故障Ｎｏ．」の「１０」をモールス信号にして、音を用いて報知する。
【００４７】
また例えば、「エラーＢ」の小分類「３」の異常が検知された場合には、「室内機ブザー音による報知」の欄に示すように、スピーカ１２０は、短音を１回、長音を４回発生させ、短音の３倍の間隔をあけて、短音を３回、長音を２回発生させ、短音の５倍の間隔をあけて、短音を３回、長音を２回発生させる、というサイクルを、短音の７倍の間隔をあけて繰り返す。なお、１回の長音の発音は、１回の短音の発音の３倍の長さであるとする。短音でも長音でも、発音と発音との間には短音の発音の１回分の間隔があけられている。このように、スピーカ１２０は、異常の内容を表す「故障Ｎｏ．」の「１３３」をモールス信号にして、音を用いて報知する。
【００４８】
短音と長音の周波数と音量はそれぞれ同一であり、スピーカ１２０が発生する音は、短音と長音との組み合わせのみによって構成されている。
【００４９】
使用者は、電話機２を室内機１００に近づけて、サービスマンやサービスセンターに電話をして、スピーカ１２０が発する音を、電話機２を通してサービスマンに知らせることができる。使用者からの電話を受けたサービスマンは、スピーカ１２０が発する音を、電話を通じて聴取して、空気調和機１の異常を正確に知ることができる。
【００５０】
使用者は、運転ランプ１１１とクラスタランプ１１２と文字ランプ１１３とスピーカ１２０による異常の報知を停止させたい場合には、空気調和機１の運転を停止させるために、運転停止ボタン２１０を予め定められた回数、例えば１回押す。運転停止ボタン２１０がこのように操作されると、リモートコントローラ２００は制御部３００に信号を送信する。リモートコントローラ２００から信号を受信した制御部３００は、スピーカ１２０に制御信号を送信して、スピーカ１２０による異常の報知を停止させる。
【００５１】
また、空気調和機１の運転停止中に、使用者がスピーカ１２０による報知を行わせたい場合には、使用者は、リモートコントローラ２００の運転停止ボタン２１０を予め定められた回数、例えば５回押す。空気調和機１の運転停止中に運転停止ボタン２１０がこのように操作されると、リモートコントローラ２００は制御部３００に信号を送信する。リモートコントローラ２００から信号を受信した制御部３００は、スピーカ１２０に制御信号を送信して、スピーカ１２０による異常の報知を開始させる。
【００５２】
以上のように、空気調和機１は、運転ランプ１１１とクラスタランプ１１２と文字ランプ１１３と、スピーカ１２０と、リモートコントローラ２００とを備える。
【００５３】
運転ランプ１１１とクラスタランプ１１２と文字ランプ１１３は、空気調和機１の異常を視覚的に報知するものである。スピーカ１２０は、空気調和機１の異常を、電話機２を通じて聴取することが可能な周波数の音を用いて報知するものである。リモートコントローラ２００は、使用者が操作するためのものである。
【００５４】
運転ランプ１１１とクラスタランプ１１２と文字ランプ１１３が異常を報知しているときに、リモートコントローラ２００で予め定められた操作が行われた場合、スピーカ１２０が異常を報知するように構成されている。
【００５５】
リモートコントローラ２００は、文字ランプ１１３が異常を報知している時に定められた操作を行ってスピーカ１２０が異常を報知するように設定するだけでなく、予め、異常時に文字ランプ１１３による視覚だけの報知をするか、スピーカ１２０によって聴覚だけの報知をするか、文字ランプ１１３とスピーカ１２０の両方を用いて視覚と聴覚を含む報知をするか、ということを予め設定できる方式のものでも構わない。
【００５６】
また、異常発生時に視覚的な報知と聴覚的な報知とを同時に行なう場合は、スピーカ１２０による聴覚的な報知だけは、例えば５回などの一定の回数の報知後に自動的にスピーカ１２０への通電をＯＦＦして聴覚報知を終了することが好ましい。このようにすることにより、騒音が続く問題がないので、実用的には好ましい。なお、スピーカ１２０への通電を自動的にＯＦＦした後でも、運転ランプ１１１とクラスタランプ１１２と文字ランプ１１３が異常を報知していれば、リモートコントローラ２００で予め定められた操作が行われた場合、スピーカ１２０が異常を報知するように構成されているとより好ましい。
【００５７】
空気調和機１に異常が発生すると、空気調和機１は、まず、運転ランプ１１１とクラスタランプ１１２と文字ランプ１１３によって視覚的に異常を報知する。空気調和機１の使用者は、運転ランプ１１１とクラスタランプ１１２と文字ランプ１１３によって視覚的に異常が報知されているときに、リモートコントローラ２００で予め定められた操作を行う。使用者がリモートコントローラ２００で予め定められた操作を行うと、スピーカ１２０が異常を報知する。スピーカ１２０は、空気調和機１の異常を、電話機２を通じて聴取することが可能な周波数の音を用いて報知する。
【００５８】
このように、まず、運転ランプ１１１とクラスタランプ１１２と文字ランプ１１３によって視覚的に異常を報知し、使用者が予め定められた操作を行った後にスピーカ１２０によって音を用いて異常を報知する。
【００５９】
スピーカ１２０が異常を報知しているとき、使用者は、電話機２をスピーカ１２０に近づけることによって、サービスマンに空気調和機１の異常の内容を知らせることができる。スピーカ１２０は、空気調和機１の異常を、電話機２を通じて聴取することが可能な周波数の音を用いて報知するので、サービスマンは、電話機２を通じてスピーカ１２０が発する音を聴取することによって、空気調和機１の異常を正確に知ることができる。
【００６０】
このようにすることにより、サービスマンが使用者を訪問する前に、サービスマンに空気調和機１の異常を正確に知らせることが可能な空気調和機１を提供することができる。
【００６１】
また、運転ランプ１１１とクラスタランプ１１２と文字ランプ１１３によって視覚的に異常を報知し、使用者が予め定められた操作を行った後にスピーカ１２０によって音を用いて異常を電話で報知するので、使用者は運転ランプ１１１とクラスタランプ１１２と文字ランプ１１３が異常を報知していることに気付くのに遅れても、騒音を生じさせることがない。
【００６２】
また、空気調和機１においては、スピーカ１２０による報知に用いられる音は、長音と短音との組み合わせのみからなる。
【００６３】
このようにすることにより、簡素な音発生手段を用いてスピーカ１２０を構成することができる。
【００６４】
また、空気調和機１においては、スピーカ１２０は、指向性を有する音源によって構成されている。
【００６５】
このようにすることにより、スピーカ１２０が異常を報知している間の騒音を一方向に集約することができ、周囲への騒音を低減させることができる。また、サービスマンが電話機２を通じて、スピーカ１２０が発生する音を聴取しやすくなる。
【００６６】
また、空気調和機１においては、リモートコントローラ２００は、空気調和機１の運転を停止することを指示するための運転停止ボタン２１０を含み、運転停止ボタン２１０によって空気調和機１の運転の停止が指示されたときには、運転ランプ１１１とクラスタランプ１１２と文字ランプ１１３とスピーカ１２０による異常の報知が停止される。
【００６７】
このようにすることにより、例えば、使用者がサービスマンに空気調和機１の異常を知らせる必要がないと判断する場合に、異常の報知を停止させることができる。
【００６８】
また、空気調和機１においては、スピーカ１２０は、空気調和機１の運転が停止されているときに、リモートコントローラ２００で予め定められた操作が行われた場合、異常を報知するように構成されている。
【００６９】
このようにすることにより、空気調和機１に異常が発生して運転を一旦、停止させた後、空気調和機１の運転を停止させたままで、空気調和機１の異常を報知させることができる。
【００７０】
図６に示すように、空気調和機１１は、空気調和機１と異なる点としては、スピーカ１２１が室内機１００の底面に配置されている。このように、スピーカ１２１が室内機１００の底面に、下向きに配置されることによって、使用者が電話機２を下方向から近づけてスピーカ１２１が発する音を電話によってサービスマンに知らせやすい。
【００７１】
また、図７に示すように、空気調和機１２は、空気調和機１と異なる点としては、室内機１００ａの下部に斜面１００ｂが形成されており、スピーカ１２２は斜面１００ｂに取り付けられている。このようにすることにより、スピーカ１２２は、斜め下方向に向かって音を発生するので、使用者が電話機２を斜め下方向から近づけて、スピーカ１２１が発する音を電話によってサービスマンに知らせやすい。
【００７２】
図６に示す空気調和機１１と図７に示す空気調和機１２のその他の構成と効果は、図１に示す空気調和機１と同様である。
【００７３】
以上の実施の形態では、この発明を空気調和機に適用した例について説明したが、サービスマンに修理してもらうために異常を報知する必要がある種々の機器に適用可能である。
【００７４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００７５】
１，１１，１２：空気調和機、１１１：運転ランプ、１１２：クラスタランプ、１１３：文字ランプ、１２０，１２１，１２２：スピーカ、２００：リモートコントローラ、２１０：運転停止ボタン。
【図１】
2011052945.tif 000003
【図２】
2011052945.tif 000004
【図３】
2011052945.tif 000005
【図４】
2011052945.tif 000006
【図５】
2011052945.tif 000007
【図６】
2011052945.tif 000008
【図７】
2011052945.tif 000009